(57)【要約】  本発明は、気密型電気コネクタ部品に関する。気密型電気コネクタ部品は、所定の接点を受容するために利用され、後部接点挿通端部に設けられている複数のソケット５を備えている絶縁ハウジング３と、ソケット５に対応する複数のケーブル通路３５を備え、ソケット５の背後でハウジング３に格納されているジョイント７と、ハウジング３内でジョイント７の後部に固定され、ソケット５に対応する複数のケーブル通路４５を有しているグリッド９と、を含んでなる。本発明はまた、グリッド９の通路４５を封止するための部材５１であって、前記グリッドに固定され、ソケットからなる所定群に接点を挿通するために選択的に開口された前記部材を備えている。本発明はまた、前記コネクタ部品と共に用いられるように構成されている開口工具、及び対応する配線方法に関する。
2007522626.tif 000002
【特許請求の範囲】
【請求項１】
前面（２１）近傍で適合するコネクタ部品と結合されるように規定されている電気コネクタ部品において、
後部に接点挿通部を有し、且つ、接点（１１０）を受容するための複数のソケット（５）を備えて成る絶縁ハウジング（３）と、
前記ソケット（５）に対応する複数のケーブル通路（３５）を備え、且つ、前記ソケット（５）の背後で前記ハウジング（３）内に載置されているジョイント部（７）と、
前記ジョイント部（７）の背後で前記ハウジング（３）内に固定され、前記ジョイント部を支持し、且つ、前記ソケット（５）に対応する複数のケーブル通路（４５）を含んでいるグリッド（９）と、
を備え、
前記グリッド上に固定され、且つ、前記接点（１１０）を所定のソケット（５）群に挿通するために選択的に開口されるように構成されて成るグリッド（９）の通路（４５）のブロック部材（５１）を備えていることを特徴とする電気コネクタ部品。
【請求項２】
前記ブロック部材（５１）が、前記グリッド（９）の一面を少なくとも部分的にカバーしているプラスチックフィルムとされていることを特徴とする請求項１に記載の電気コネクタ部品。
【請求項３】
前記フィルム（５１）が、前記グリッド上に固着されているか、又は接着されていることを特徴とする請求項２に記載の電気コネクタ部品。
【請求項４】
前記ブロック部材（５１）が、バネ結合によって前記グリッド（９）上に固定されているプレートであることを特徴とする請求項１に記載の電気コネクタ部品。
【請求項５】
前記ブロック部材（５１）が、前記グリッド（９）の後面上に固定されていることを特徴とする請求項１〜４のいずれか一項に記載の電気コネクタ部品。
【請求項６】
前記ブロック部材（５１）が、前記ソケット（５）を識別するために、前記ブロック部材の後面上にマーキング（５９，６１）を有していることを特徴とする請求項５に記載の電気コネクタ部品。
【請求項７】
前記ブロック部材（５１）が、前記ブロック部材を開口するように構成されている工具によって、所定の通路のレベルで前記ブロック部材（５１）の先行する開口作業が実施されていない場合には、前記接点（１１０）の前記所定の通路への挿通を防止するように適合されていることを特徴とする請求項６に記載の電気コネクタ部品。
【請求項８】
ボディ部（１０２）と、
前記ボディ部から平行且つ同一方向に突出し、ソケット（５）からなる所定群に対応するポイントでブロック部材（５１）を開口するように構成されている複数のピン（１０３）と、
を備えている請求項１〜７のいずれか一項に記載の電気コネクタ部品のブロック部材を開口するための工具。
【請求項９】
前記ピン（１０３）が、その自由端で縮径されていることを特徴とする請求項８に記載の工具。
【請求項１０】
前記ボディ部（１０２）が、前記ハウジング（３）の内部で前記ハウジングの後部から形状が適合するように少なくとも部分的に係合するように構成されている請求項８又は９に記載の工具。
【請求項１１】
請求項１〜７のいずれか一項に記載の電気コネクタ部品における配線方法において、
請求項８〜１０のいずれか一項に記載の所定の工具（１０１）を用いてブロック部材（５１）を開口するステップと、
前記ブロック部材を開口するために規定されている配線された接点（１１０）を各ソケット（５）に挿通し、開口作業によってアクセス可能とするステップと、
を連続的に実行することを特徴とする配線方法。
【発明の詳細な説明】
【技術分野】
【０００１】
本発明は、前面近傍で対応するコネクタ部品と結合されるように設けられている電気コネクタ部品に関する。前記電気コネクタ部品は、所定の接点を受容するための複数のソケット、及び背後接点挿通部を備えている絶縁ハウジングと、前記ソケットに対応して複数のケーブル通路を有し、前記ソケット背後の前記ハウジング内に載置されているジョイントと、前記ジョイント背後のハウジング内に固定され、前記ジョイントを支持し、前記ソケットに対応して複数のケーブル通路を有しているケーブル案内グリッドと、を備えている。
【０００２】
例えば、前記電気コネクタ部品は特許文献１に開示されている。
【背景技術】
【０００３】
このタイプのコネクタにおいては、“部分的に生成された”コネクタと呼ばれることがあり、幾つかの結合パスは使用されない場合がある。コネクタを確実に封止するために、ジョイント（グロメットとも呼ばれる）の対応するパスを遮断する必要がある。前記遮断を実現するためには、ブロック片は占有されていないソケットの各々に挿通され、その後、コネクタ部品に維持されている必要がある。一般的には、ブロック片は一の成形されたプラスチック片から構成されている。成形されたプラスチック片の外形は、置換される接点及びケーブル端部の形状と同一形状に部分的に形成されている。
【０００４】
前記ブロック片の挿通は、組立ラインにおいて比較的重要な操作時間を代表している。前記操作が手動により実行される場合には、すべての占有されていないパスを遮断するために、一部の操作者に対する注意を継続する必要がある。前記操作が自動的に実行される場合には、比較的完全でコストのかかる特定の工具を必要とする。
【０００５】
さらには、占有されていないパスが遮断されるか、又は不正確に遮断された場合には、前記操作はコネクタの重大な機能不全の原因となり得る。
【０００６】
グロメットタイプのジョイントもまた、従来技術として知られている。該グロメットタイプは、通路の中間区間レベルですべてのソケット通路を遮断する薄いメンブレンを形成されている。このメンブレンは、接点自体の挿通の結果として接点を受容する通路内に開口するように構成されている。
【０００７】
前記ジョイント内部におけるメンブレンの位置によっては、配線ミスを防止することも配線ミスを検出することも困難であるために、メンブレンの状態は明らかとされない。
【０００８】
そのような配列は、付加的に実際的な問題を課す。該問題は、使用しないように構成されているパスに接点が誤って挿通された場合に、ジョイントの封止機能を再確立するという問題を含んでいる。事実、誤りが発見された場合には、操作者は、接点を引き抜いて、例えば、プラグを利用することによって通路を遮断しなければならない。この作業は、付加的且つ長時間を要する操作を構成している。
【特許文献１】仏国特許出願公開第２，８３０，１３２号明細書
【発明の開示】
【発明が解決しようとする課題】
【０００９】
本発明の目的は、前記引抜き作業を改善することに関する。より詳しくは、配線ミスを保護することにある。
【課題を解決するための手段】
【００１０】
この目的を達成するための本発明の主題は、グリッドの通路を遮断するための部材を備え、前記グリッド上に固定され、且つ、所定のグリッド群に接点を挿通するために選択的に開口されるように構成されている上述のタイプの電気コネクタ部品である。
【００１１】
この配置は、付加的な利点を付加する場合がある。該利点は、封止機能とは別に、又はグロメットによらず前記封止機能に含まれている。そして、開口作業がまだ実施されていない場合には、ジョイントの改善又はプラグの付加の必要なく、すべての又は幾つかのコネクタ部品の通路に前記利点が付加されている。
【００１２】
本発明における電気コネクタ部品は、プラスチック材料から成るフィルムとされ、且つ、少なくとも部分的にグリッドの一面をカバーしている前記ブロック部材と、グリッドに固着されているか、又は溶着されているフィルムと、バネ結合によりグリッド上に固定されているプレートである前記ブロック部材と、グリッドの後面上に固定されている前記ブロック部材と、ブロック部材の開口作業のために規定された所定の工具によって、所定の通路内でブロック部材の先行する開口作業が実施されていない場合には、前記所定の通路への接点の挿通を防止するように適合されているブロック部材と、のうち１つ以上の特徴を付加的に含み得る。
【００１３】
本発明はまた、上述のようなコネクタ部品のブロック部材を開口するための所定の工具に関する。該工具はボディ部及び複数のピンを備えている。該ピンは、前記ボディ部から平行且つ同一方向に突出し、所定のソケット群に対応するポイントでブロック部材を開口するように構成されている。
【００１４】
本発明における工具の他の特徴としては、ピンの自由端側で縮径されている前記ピンと、ハウジング内部に向かってボディ部の後面から形状が適合された状態で少なくとも部分的に挿通されるように構成されている前記ボディ部と、が挙げられる。
【００１５】
最後に、本発明は、上述のような電気コネクタ部品の配線方法に関する。該方法においては、上述のような所定の工具を用いてブロック部材を開口するステップと、前記目的を達するように規定されている配線された接点を各ソケットに導入し、前記開口作業によってソケットへのアクセスを自由とするステップと、を連続的に実行することを特徴としている。
【発明を実施するための最良の形態】
【００１６】
本発明における一の特定の実施例が添付する図面を参照してより詳細に説明されていることに留意すべきである。
【００１７】
電気コネクタが添付した図面に示されている。本明細書においては、該電気コネクタは相補部と結合されるように構成されている雄型コネクタ部品である。また、該相補部は“結合部”（本明細書においては、雌型コネクタ部品（図示しない））として言及されている。
【００１８】
一般的に、図示されたコネクタ部品は、自動車両の電気制御ユニットの結合台座と結合されるように構成されている。しかしながら、以下に詳細に説明される本発明が多くの他のタイプのコネクタをも包含することは明らかである。
【００１９】
本発明を明確にするために、図面はＸ軸方向に沿って向いている。該Ｘ軸は、２つの相補的なコネクタ部品の結合する方向を表わしている。
【００２０】
方向又は位置を表わすすべての用語は、上記のように規定された方向を言及するものであることに留意すべきである。このように、図面に図示されたコネクタ部品は、係合面に対応する前面を有している。
【００２１】
特に図１及び図２を参照すると、コネクタ部品１は、プラスチックから成る絶縁ハウジング３を必要構成要素として備えている。絶縁ハウジングには、接点、封止ジョイント７、及びケーブル案内グリッド９を受容するために、複数のソケット５が形成されている。
【００２２】
コネクタ部品１は、ハウジング３の接点に第２のロックを実施するための部材１１（又は、“キー”）、及び適合するコネクタ部品上でコネクタ部品１のロックを実施するための部材１３を付加的に備えている。ロック部材１３は、ハウジング３上に取り付けられ回動可能とされる補強棒から成る。
【００２３】
ハウジング３は、ソケット５を規定する軸方向の通路によって貫通されている正六面体状の前面ブロック１７及びソケット５の後端部が後部ケーシング内で開放されている後部ケーシング１９を必要構成要素として形成される。前面ブロック１７は、適合するコネクタ部品と結合する面を規定する前端面２１を有している。
【００２４】
それぞれのソケットの接点を保持するために、バネクリップ２３が前面ブロック１７の壁に形成されている。該前面ブロックはソケット５の境界を定めている。
【００２５】
第２のロックキー１１はカバーとして形成され、作動位置において、該ロックキーの前面で前面ブロック１７の周壁に嵌合されている。前記ロックキーはデジット２７を備えている。該デジットはその前壁から後方に向かって突出している。作動位置において、これらのデジット２７は、バネクリップ２３の解放を防止する楔を構成している。ロックキー１１及び前面ブロック１７は相補的なロック手段（図示しない）を備えている。これにより、ロックキー１１はその作動位置に確実に維持される。
【００２６】
図示された実施例においては、封止ジョイント７（グロメットとも言う）は、略正六角形状の外形からなる弾性ブロックを含んでいる。該弾性ブロックは、後面から前面に向かって延伸し、且つ、ソケット５に対応する貫通路を備えている。言い換えれば、通路３５はソケット５を規定する通路と位置合わせされている。これらの通路３５は、ハウジング３の後部から各ソケット５に配線された接点を挿通可能とし、ケーブルの絶縁シースと協働し、且つ、コネクタ部品の後端部の各ソケット５を確実に封止するように構成されている。
【００２７】
本発明を明確にするために、接点もケーブルも図２には図示されていない。
【００２８】
ケーブル周辺の後部を確実に封止するために、ジョイント７が、各通路３５において狭窄部を形成する環状リップ３７と共に設けられている。図示された実施例においては、各通路３５は軸方向にオフセットされている２つの環状リップ３７を有している。
【００２９】
図示された実施例においては、コネクタ部品１の配線前に（すなわち、ソケット５内に接点を載置する前に）、通路３５の各々は、ジョイント７の内壁と同一材料からなる単一片のメンブレン３９によって遮断されている。すべてのメンブレン３９は同軸レベルでそれぞれの通路５の２つのリップ３７の間を延伸している。接点がソケット５内に載置されるためには、対応するメンブレン３９は開口部を形成され、これにより、前記接点の通路が設けられることが必要とされる。後述の通り、さもなければ、他に直接的に接点を挿通することによって、開口部を形成することも可能である。
【００３０】
ジョイント７はケーシング１９の内側に係合されている。該ケーシングの前面は前面ブロック１７の後面に対して嵌合されている。ジョイント７の周面自体は、ケーシング１９の内面に抗して当て嵌められて、確実に封止結合している。
【００３１】
ジョイント７が、ケーシング１９の対応する周辺肩部４３上に設けられているフランジ４１と共に形成されていることに留意すべきである。
【００３２】
グリッド９は、ジョイント７内に形成された通路３５に対応する通路４５と共に形成され、略正六角形状の外形からなるプラスチック片から構成されている。グリッド９のこれらの通路４５は、グリッド９の後面から前面まで貫通された状態で延伸している。
【００３３】
図３を参照すると、グリッド９はフックを備えたスプリングアーム状のフック手段４７を備えている。該フック手段は、バネ結合によりケーシング１９のグリッド９の固定手段を規定している。そのようなアーム４７は、グリッド９の２つの対向する周面上に設けられている。同一面の２つのアームのみが図３において表わされている。
【００３４】
再度図２を参照すると、ケーシング１９内で形状が適合した状態で、グリッド９はジョイント７の後部で係合している。そして、グリッド９がケーシング１９内に固定された場合には、ジョイント７はハウジング３の内部の所定位置に確実に維持される。同様に、前記ジョイントの僅かな軸方向圧縮も維持される。
【００３５】
グリッド９は、ジョイント７を維持し圧縮する機能ばかりでなく、略軸方向に通路３５の入口で延伸しているケーブルの区間を維持する機能をも有している。そのようなケーブルガイド機能は、ジョイントの封止を維持する傾向にあり、ケーブルの屈曲による通路３５の入口でのジョイントの変形の原因となる。グリッド９の前記機能は、記載されたタイプのコネクタ部品にとって、コネクタ部品１の後部でケーブルの束がＸ軸に対して垂直方向となるように構成されている。
【００３６】
一般的に、コネクタ部品１は、ハウジング３の背後に固定されているカバー（図示しない）を備えている。該カバーは、配線後のハウジングの後面の閉鎖及びケーブル束の案内を確実に行なう。
【００３７】
各ソケット５に接点を挿通する前に組み立てられた構成（例えば、図１及び図２に示すような構成）においては、ジョイント７の通路３５及びグリッド９の通路４５は、ソケット５の形成された各通路と共に軸方向に位置合わせされている。
【００３８】
図１〜図３のように、コネクタ部品１はグリッド９の後面上に固定され、通路４５の入口でグリッド９の通路４５を遮断しているブロック部材５１を付加的に備えている。図示された実施例においては、ブロック部材５１はグリッドの後面をカバーし、すべての通路４５を遮断しているプラスチックフィルムから構成されている。例えば、前記フィルムはグリッド９上に固着されているか、又は接着されている。
【００３９】
プラスチックフィルム５１は、フィルムの一の縁部上にノッチ５３を含んでいる。ノッチ５３は、ノッチ５３とグリッド９からその後部に向かって突出している基準ペグ５５との協働によって、グリッド上で正確な位置決めを実現する。
【００４０】
特に図１を参照すると、コネクタ部品を配線する前においては、フィルム５１の後面はコネクタ部品１の後部から確認される。フィルム５１のこの確認される後面は、各通路４５の入口位置を位置決めし特定可能とするマーキングを有している。特に通路の位置は、外形マーキング５７によって示されている。そして、通路の識別（すなわち、対応するソケット５の識別）は、列インデックス５９及び行インデックス６１によって可能とされる。このマーキングシステムはソケット５の位置及び識別を示し、ソケットの行列における特定の配列に適合していることは明らかである。ここで、該ソケットの配列は最も一般的な配列である点に留意すべきである。さらには、異なるマーキングシステムがソケットの配列に一致して設けられていることも明らかである。
【００４１】
コネクタ部品１を配線する前に、ブロック部材５１は開口部を構成するように規定されている。この開口作業は、接点が挿通されるソケット５に対応する通路４５の設置位置で排他的に実施されるように規定されている。
【００４２】
一の変形例（図示しない）によると、ブロック部材５１は、通路４５の入口（すなわち、ソケット５）に対応する開口部を備えている高剛性板から成る場合もあれば、前記開口部の各々を遮断するクロージャーから成る場合もある。コネクタ部品１の配線前に、前記クロージャーは開口されるように構成されている。
【００４３】
例えば固着又は接着によって、前記板はグリッド９の後面上に封止された状態で固定されている。代替的にはバネ結合によって、前記板はグリッド９上に固定されている。
【００４４】
前記クロージャーは、前記板の後面をカバーするプラスチックフィルムから形成されている。各ソケットを位置決めするために、フィルムは前述と同一の方法でマーキングされている。
【００４５】
他の実施例においては、ブロック部材は少なくとも部分的にグリッドの一面をカバーし、バネ結合によってグリッド上に固定されている薄いプラスチック板とされている。
【００４６】
ブロック部材５１の実施例が如何なるものであろうとも、後者はクロージャー（外形５７によって境界を定められる）を利用する。該クロージャーは一時的に幾つかの結合パスを遮断し、コネクタ部品１の他の結合パスを遮断するために適している。前記ブロック部材は一時的な特性又は最終的な特性のニーズに一致している。
【００４７】
このため、クロージャー６３は、所定の適切な工具によって開口された板材料から構成されている。さらには、クロージャー６３は、局所的な開口作業をサポートするように構成されている。この局所的な開口作業は、所定の適切な工具を利用することによって選択的に実施され、隣接するクロージャーの状態に影響を与えることがない。
【００４８】
ブロック部材５１（より詳細にはクロージャー６３の全体）が、開口作業用の工具を用いて、従来技術によって対応するクロージャー６３を開口しないので、特定の通路に接点を挿通することを防止するように設けられている。特に、クロージャーを構成する板材料及び該板材料の厚さは、接点のクロージャーへの強制的な手動による挿通を防止するように選定され得る。このことを実施するためには、材料及びその厚さが、剪断（又は破断）されることなく、操作者の手動における接点の挿通力に抗するように選定される必要がある。ブロック部材５１の耐力は、接点に作用する力に耐える大きさとされている。ここで、接点に作用する力は、接点をハウジングのソケットに挿通する力よりも明らかに大きい。
【００４９】
図４及び図５を参照し説明すると、予め選定されたソケット５の一群に対応する所定の位置でブロック部材を開口することができる所定の工具が表わされている。
【００５０】
図４及び図５に示す工具１０１は、ボディ１０２及び複数のピン又はポイント１０３を必要構成要件として成る。前記ピン又はポイントは、平行且つ同一方向に前記ボディから突出している。工具１０１は所定の配線配置のために規定されている。ソケット５からなる所定群のうち各ソケットは、対応する型の接点によって占有される。従って、工具１０１は、所定の配線配置に対応する多くのポイント１０３及びそのポイントの配列を備えている。
【００５１】
工具１０１は、各ピン１０３の基部で星状に配置されているラジアルウイングレット１０５を備えている。従って、ウイングレット１０５は、ピン１０３周辺にクロス状にクロージャー６３を開口するように規定されている４つのカッティングブレードを形成する。
【００５２】
ボディ１０２は、形状的に嵌合された状態で係合停止位置まで少なくとも部分的にケーシング１９に挿通されるように適合された形状とされている。例えば、グリッド９又はブロック部材５１の後面上でボディ１０２を面一に位置合わせすることによって、前記係合は規定されている。
【００５３】
図５は、ブロック部材５１及びジョイント７に形成されるメンブレン３９を選択的に開口する操作を表わしている。そして、ピン１０３の長さは、工具１０１をハウジング３に完全に挿通することによって、選択的にクロージャー６３及びソケット５からなる所定群に対応するメンブレン３９の開口が連続的に達成されるように規定されている。
【００５４】
開口工具１０１を引き抜いた後、所定群のソケット５へのアクセス通路３５，４５は自由であり、図６に示すように配線された接点を前記ソケットに挿通することが可能とされる。
【００５５】
図６においては、ブロック部材５１のクロージャーが、開口部（切欠部）内且つ参照符号６３’の下に、又は開口されていない状態且つ参照符号６３の下に示されている。
【００５６】
開口されたクロージャー６３’は、クロス（×）印を有した状態で示されている。該クロス（×）印は、ピン１０３の基部でウイングレット１０５により開口された形状を示している。
【００５７】
さらには、図６は、選択的にブロック部材５１及びメンブレン３９を開口した後、接点の各対応ソケットへの挿通が行なわれることを示している。図６においては、挿通途中の単一の接点１１０が表わされている。実施例においては、この接点は電気ケーブル１１１の端部に圧着されている。
【００５８】
既にソケットに載置されている接点のケーブル１１１もまた示されている。
【００５９】
コネクタ部品１の配線操作は、対応ソケットに配線接点１１０を予め挿通して成り、手動又は自動で実施可能とされている。
【００６０】
図６を参照すると、操作者がコネクタ部品１を後方から観察することにより、接点６３及び６３’のいずれが開口され、いずれが開口されていないかを理解することは比較的容易であることがわかる。ブロック部材５１の後面上に表わされているマーキングによると、配線しその後開口する操作をするために自由にアクセス可能とされるソケットを識別し、さらに位置決めすることも容易である。
【００６１】
従って、クロージャー６３，６３’の状態が明らかとなるように、ブロック部材５１は配線操作の際に視覚的な表示をすることができる。従って、操作者は、コネクタ部品１が不完全な配線をされていることを理解することができる。すなわち、ソケットは自由にアクセス可能であるが、一のソケットの少なくとも１つの接点が欠けていることを操作者は理解することができる。
【００６２】
手で挿通可能とされる単純な接点によってではなく、ブロック部材の開口作業が前記工具の補助を得た場合のみ実施可能となるように、ブロック部材は抵抗を有している。これにより、同一の配線構造を有しているコネクタのシリーズ全体の整合性が確保される。開口工具は正確に構成され、テストコネクターで検査されるためである。
【００６３】
使用される開口工具１０１の構造に欠陥があった場合には、たとえ無傷のままであったとしても、クロージャー６３が非占有状態を維持しなければならない対応パスが開口されたことを操作者は視覚的に確認することもできる。従って、操作者は誤って自由とされたパスを再遮断することによって、この欠陥を修復することができる。
【００６４】
この状況が図７に表わされている。図７においては、各ソケット５に載置されている接点に連接された幾つかのケーブル区間１１１が示されている。配線されるために、該ケーブル区間の一部はソケットからなる所定群と共有されている。図７には、ブロック部材５１の選択的な開口作業の途中で誤って自由とされたアクセスパスを各ソケットに挿通されている２つのプラグ１２０も示されている。これらのプラグ１２０の外形は、部分的に接点及びケーブル区間端部の外形と同一とされている。ジョイント７、特に各通路３５のリップ３７と協働して、これらのプラグ１２０は誤って自由とされたパスの気密機能を再構築することができる。
【図面の簡単な説明】
【００６５】
【図１】本発明における電気コネクタ部品の後方から見た斜視図である。
【図２】図１におけるコネクタ部品の断面２−２における拡大垂直断面図である。
【図３】図１におけるコネクタ部品のグリッド及びブロック部材の後方から見た拡大分解斜視図である。
【図４】コネクタ部品背後のスタンバイ位置での、図１のコネクタ部品及び本発明における開口装置の後方から見た斜視図である。
【図５】コネクタ部品及び有効な開口位置にある開口装置の断面２−２における断面図である。
【図６】ブロック部材の開口後、コネクタ部品が配線作業中である図１に類する図である。
【図７】幾つかの結合パスを配線し、誤って幾つかの自由なパスを遮断した後における、図１に類する図である。
【符号の説明】
【００６６】
１  コネクタ部品
３  絶縁ハウジング
５  ソケット
７  ジョイント
９  ケーブル案内グリッド
１１  ロックキー
１３  ロック部材
１７  前面ブロック
１９  後部ケーシング
２３  バネクリップ
２７  デジット
３５  通路
３７  環状リップ
４５  通路
４７  フック手段
５１  ブロック部材
５３  ノッチ
５５  ペグ
５７  外形マーキング
６３  クロージャー
１０１  開口工具
１０２  ボディ
１０３  ピン
１０５  ラジアルウイングレット
１１０  接点
１１１  ケーブル区間
１２０  プラグ
【図１】
2007522626.tif 000003
【図２】
2007522626.tif 000004
【図３】
2007522626.tif 000005
【図４】
2007522626.tif 000006
【図５】
2007522626.tif 000007
【図６】
2007522626.tif 000008
【図７】
2007522626.tif 000009
【国際調査報告】
2007522626.tif 000010
2007522626.tif 000011
2007522626.tif 000012
2007522626.tif 000013